(57)【特許請求の範囲】
【請求項１】
複数の基地局と、前記基地局と通信接続可能な移動端末とを含む通信システムであって、
前記基地局は、それぞれ、少なくとも自らを識別する識別情報を含む基地局発信情報を複数の周波数を切り替えて発信する発信手段を備え、
前記移動端末は、
利用する可能性のある基地局を前記識別情報とともに記憶する利用基地局記憶手段と、
受信可能な周波数チャネルをスキャンして基地局が発する電波を探索する探索手段と、
前記探索手段により探索した基地局が発信する基地局発信情報から前記識別情報を抽出する識別情報抽出手段と、
前記識別情報抽出手段が抽出した前記識別情報と前記利用基地局記憶手段に記憶されている前記識別情報とを比較し、前記識別情報が一致する基地局を抽出する基地局抽出手段と、
前記基地局抽出手段が抽出した基地局の中から接続先とする基地局を選択する基地局選択手段と、
を備えること、
を特徴とする通信システム。
【請求項２】
請求項１に記載の通信システムにおいて、
前記移動端末は、前記利用基地局記憶手段に記憶させる利用する可能性のある基地局の優先順位を設定する基地局順位設定手段を備え、
前記基地局選択手段は、前記基地局順位設定手段により設定された優先順位に基づいて、接続先とする基地局を選択すること、
を特徴とする通信システム。
【請求項３】
請求項１に記載の通信システムにおいて、
前記移動端末は、接続先とする予定の基地局を設定する接続予定基地局設定手段を備え、
前記基地局選択手段は、前記接続予定基地局設定手段により設定された基地局が前記基地局抽出手段により抽出された基地局の中に存在するときに接続を行うこと、
を特徴とする通信システム。
【請求項４】
少なくとも自らを識別する識別情報を含む基地局発信情報をそれぞれが複数の周波数を切り替えて発信する基地局と通信接続可能な移動端末であって、
利用する可能性のある基地局を前記識別情報とともに記憶する利用基地局記憶手段と、
受信可能な周波数チャネルをスキャンして基地局が発する電波を探索する探索手段と、
前記探索手段により探索した基地局が発信する基地局発信情報から前記識別情報を抽出する識別情報抽出手段と、
前記識別情報抽出手段が抽出した前記識別情報と前記利用基地局記憶手段に記憶されている前記識別情報とを比較し、前記識別情報が一致する基地局を抽出する基地局抽出手段と、
前記基地局抽出手段が抽出した基地局の中から接続先とする基地局を選択する基地局選択手段と、
を備えること、
を特徴とする移動端末。
【請求項５】
請求項４に記載の移動端末において、
前記利用基地局記憶手段に記憶させる利用する可能性のある基地局の優先順位を設定する基地局順位設定手段を備え、
前記基地局選択手段は、前記基地局順位設定手段により設定された優先順位に基づいて、接続先とする基地局を選択すること、
を特徴とする移動端末。
【請求項６】
請求項４に記載の移動端末において、
接続先とする予定の基地局を設定する接続予定基地局設定手段を備え、
前記基地局選択手段は、前記接続予定基地局設定手段により設定された基地局が前記基地局抽出手段により抽出された基地局の中に存在するときに接続を行うこと、
を特徴とする移動端末。
【請求項７】
少なくとも自らを識別する識別情報を含む基地局発信情報をそれぞれが複数の周波数を切り替えて発信する基地局と通信接続可能な移動端末の通信接続方法であって、
利用する可能性のある基地局を前記識別情報とともに利用基地局記憶手段に記憶し、
受信可能な周波数チャネルをスキャンして基地局が発する電波を探索し、
探索した基地局が発信する基地局発信情報から前記識別情報を抽出し、
抽出した前記識別情報と前記利用基地局記憶手段に記憶されている前記識別情報とを比較し、前記識別情報が一致する基地局を抽出し、
抽出した基地局の中から接続先とする基地局を選択すること、
を特徴とする移動端末の通信接続方法。
【請求項８】
少なくとも自らを識別する識別情報を含む基地局発信情報をそれぞれが複数の周波数を切り替えて発信する基地局と通信接続可能な移動端末の接続プログラムであって、
移動端末のコンピュータを、
利用する可能性のある基地局を前記識別情報とともに記憶する利用基地局記憶手段と、
受信可能な周波数チャネルをスキャンして基地局が発する電波を探索する探索手段と、
前記探索手段により探索した基地局が発信する基地局発信情報から前記識別情報を抽出する識別情報抽出手段と、
前記識別情報抽出手段が抽出した前記識別情報と前記利用基地局記憶手段に記憶されている前記識別情報とを比較し、前記識別情報が一致する基地局を抽出する基地局抽出手段と、
前記基地局抽出手段が抽出した基地局の中から接続先とする基地局を選択する基地局選択手段として機能させるための移動端末の接続プログラム。
【発明の詳細な説明】
【技術分野】
【０００１】
本発明は、高速移動体通信等の通信システム、移動端末、移動端末の通信接続方法、移動端末の接続プログラムに関するものである。
【背景技術】
【０００２】
移動体通信では、移動体のある場所によっては、例えば、広範囲の通信エリアを持つマクロ基地局や、比較的狭い通信エリアを持つフェムト基地局等の小型基地局等、複数の基地局との間で通信接続可能な場合がある。
【０００３】
移動体通信の分野では、例えば、ＷｉＭＡＸ（登録商標：ＩＥＥＥ８０２．１６ｅ標準化規格技術）のような高速通信可能な技術が実用化されている。このＷｉＭＡＸ（登録商標）では、例えば、フェムト基地局を利用した方が、通信環境が改善されるような状況であるにも関わらず、マクロ基地局と通信接続を行ってしまう場合があった。
【０００４】
また、特許文献１には、事前に接続する基地局の優先順位と、各基地局の周波数チャネルを登録しておき、優先順位の高い順に接続する基地局を選択する方法が開示されている。
【先行技術文献】
【特許文献】
【０００５】
【特許文献１】特開平８−３１７４６４号公報
【発明の概要】
【発明が解決しようとする課題】
【０００６】
しかし、特許文献１の方法では、各基地局の周波数チャネルを登録する作業が発生し、登録作業に手間が掛かるという問題があった。
また、基地局側が周波数チャネルを変更した場合には、登録内容を修正しないと、その基地局に接続できないという問題があった。
さらにまた、複数の基地局が同一の周波数の電波を送受信している場合には、登録していない基地局に接続してしまう可能性があるという問題があった。
【０００７】
本発明の課題は、基地局が周波数チャネルを変更しても、利用者が望む基地局に簡単に接続できる通信システム、移動端末、移動端末の通信接続方法、移動端末の接続プログラム装置を提供することである。
【課題を解決するための手段】
【０００８】
本発明は、上記の課題を解決するために、以下の事項を提案している。なお、理解を容易にするために、本発明の実施形態に対応する符号を付して説明するが、これに限定されるものではない。
【０００９】
（１）本発明は、複数の基地局（ＢＳ１，ＢＳ２，ＢＳ３，ＢＳ４，ＢＳ５）と、前記基地局と通信接続可能な移動端末（１００）とを含む通信システムであって、前記基地局は、それぞれ、少なくとも自らを識別する識別情報（ＢＳＩＤ）を含む基地局発信情報（ＤＬ−ＭＡＰ）を複数の周波数を切り替えて発信する発信手段（ＢＳ１ａ，ＢＳ２ａ，ＢＳ３ａ，ＢＳ４ａ，ＢＳ５ａ）を備え、前記移動端末は、利用する可能性のある基地局（ＢＳ１，ＢＳ３，ＢＳ５）を前記識別情報とともに記憶する利用基地局記憶手段（１０６）と、受信可能な周波数チャネルをスキャンして基地局が発する電波を探索する探索手段（１０２）と、前記探索手段により探索した基地局が発信する基地局発信情報から前記識別情報を抽出する識別情報抽出手段（１０３）と、前記識別情報抽出手段が抽出した前記識別情報と前記利用基地局記憶手段に記憶されている前記識別情報とを比較し、前記識別情報が一致する基地局を抽出する基地局抽出手段（１０４）と、前記基地局抽出手段が抽出した基地局の中から接続先とする基地局を選択する基地局選択手段（１０５）と、を備えることを特徴とする通信システムを提案している。
【００１０】
この発明によれば、発信手段は、少なくとも自らを識別する識別情報を含む基地局発信情報を複数の周波数を切り替えて発信する。利用基地局記憶手段は、利用する可能性のある基地局を識別情報とともに記憶する。探索手段は、受信可能な周波数チャネルをスキャンして基地局が発する電波を探索する。識別情報抽出手段は、探索手段により探索した基地局が発信する基地局発信情報から識別情報を抽出する。基地局抽出手段は、識別情報抽出手段が抽出した識別情報と利用基地局記憶手段に記憶されている識別情報とを比較し、識別情報が一致する基地局を抽出する。基地局選択手段は、記基地局抽出手段が抽出した基地局の中から接続先とする基地局を選択する。したがって、基地局が周波数チャネルを変更しても、利用者が望む基地局に簡単に接続できる。
【００１１】
（２）本発明は、（１）に記載の通信システムにおいて、前記移動端末（１００）は、前記利用基地局記憶手段（１０６）に記憶させる利用する可能性のある基地局（ＢＳ１，ＢＳ３，ＢＳ５）の優先順位を設定する基地局順位設定手段（１０７）を備え、前記基地局選択手段（１０５）は、前記基地局順位設定手段により設定された優先順位に基づいて、接続先とする基地局を選択すること、を特徴とする通信システムを提案している。
【００１２】
この発明によれば、基地局順位設定手段は、利用基地局記憶手段に記憶させる利用する可能性のある基地局の優先順位を設定する。また、基地局選択手段は、基地局順位設定手段により設定された優先順位に基づいて、接続先とする基地局を選択する。したがって、基地局が周波数チャネルを変更しても、自動的に優先度の高い基地局に簡単に接続できる。
【００１３】
（３）本発明は、（１）に記載の通信システムにおいて、前記移動端末（１００）は、接続先とする予定の基地局（ＢＳ５）を設定する接続予定基地局設定手段（１０８）を備え、前記基地局選択手段（１０５）は、前記接続予定基地局設定手段により設定された基地局が前記基地局抽出手段（１０４）により抽出された基地局の中に存在するときに接続を行うこと、を特徴とする通信システムを提案している。
【００１４】
この発明によれば、接続予定基地局設定手段は、接続先とする予定の基地局を設定する。また、基地局選択手段は、接続予定基地局設定手段により設定された基地局が基地局抽出手段により抽出された基地局の中に存在するときに接続を行う。したがって、基地局が周波数チャネルを変更しても、利用者が選択した基地局に対して簡単に接続できる。
【００１５】
（４）本発明は、少なくとも自らを識別する識別情報（ＢＳＩＤ）を含む基地局発信情報（ＤＬ−ＭＡＰ）をそれぞれが複数の周波数を切り替えて発信する基地局（ＢＳ１，ＢＳ２，ＢＳ３，ＢＳ４，ＢＳ５）と通信接続可能な移動端末（１００）であって、利用する可能性のある基地局（ＢＳ１，ＢＳ３，ＢＳ５）を前記識別情報とともに記憶する利用基地局記憶手段（１０６）と、受信可能な周波数チャネルをスキャンして基地局が発する電波を探索する探索手段（１０２）と、前記探索手段により探索した基地局が発信する基地局発信情報から前記識別情報を抽出する識別情報抽出手段（１０３）と、前記識別情報抽出手段が抽出した前記識別情報と前記利用基地局記憶手段に記憶されている前記識別情報とを比較し、前記識別情報が一致する基地局を抽出する基地局抽出手段（１０４）と、前記基地局抽出手段が抽出した基地局の中から接続先とする基地局を選択する基地局選択手段（１０５）と、を備えることを特徴とする移動端末を提案している。
【００１６】
この発明によれば、利用基地局記憶手段は、利用する可能性のある基地局を前記識別情報とともに記憶する。探索手段は、受信可能な周波数チャネルをスキャンして基地局が発する電波を探索する。識別情報抽出手段は、探索手段により探索した基地局が発信する基地局発信情報から識別情報を抽出する。基地局抽出手段は、識別情報抽出手段が抽出した識別情報と利用基地局記憶手段に記憶されている識別情報とを比較し、識別情報が一致する基地局を抽出する。基地局選択手段は、基地局抽出手段が抽出した基地局の中から接続先とする基地局を選択する。したがって、基地局が周波数チャネルを変更しても、利用者が望む基地局に簡単に接続できる。
【００１７】
（５）本発明は、（４）に記載の移動端末（１００）において、前記利用基地局記憶手段（１０６）に記憶させる利用する可能性のある基地局（ＢＳ１，ＢＳ３，ＢＳ５）の優先順位を設定する基地局順位設定手段（１０７）を備え、前記基地局選択手段（１０５）は、前記基地局順位設定手段により設定された優先順位に基づいて、接続先とする基地局を選択すること、を特徴とする移動端末を提案している。
【００１８】
この発明によれば、基地局順位設定手段は、利用基地局記憶手段に記憶させる利用する可能性のある基地局の優先順位を設定する。また、基地局選択手段は、基地局順位設定手段により設定された優先順位に基づいて、接続先とする基地局を選択する。したがって、基地局が周波数チャネルを変更しても、自動的に優先度の高い基地局に簡単に接続できる。
【００１９】
（６）本発明は、（４）に記載の移動端末（１００）において、接続先とする予定の基地局（ＢＳ５）を設定する接続予定基地局設定手段（１０８）を備え、前記基地局選択手段（１０５）は、前記接続予定基地局設定手段により設定された基地局が前記基地局抽出手段（１０４）により抽出された基地局の中に存在するときに接続を行うこと、を特徴とする移動端末を提案している。
【００２０】
この発明によれば、接続予定基地局設定手段は、接続先とする予定の基地局を設定する。また、基地局選択手段は、接続予定基地局設定手段により設定された基地局が基地局抽出手段により抽出された基地局の中に存在するときに接続を行う。したがって、基地局が周波数チャネルを変更しても、利用者が選択した基地局に対して簡単に接続できる。
【００２１】
（７）本発明は、少なくとも自らを識別する識別情報（ＢＳＩＤ）を含む基地局発信情報（ＤＬ−ＭＡＰ）をそれぞれが複数の周波数を切り替えて発信する基地局（ＢＳ１，ＢＳ２，ＢＳ３，ＢＳ４，ＢＳ５）と通信接続可能な移動端末（１００）の通信接続方法であって、利用する可能性のある基地局（ＢＳ１，ＢＳ３，ＢＳ５）を前記識別情報とともに利用基地局記憶手段（１０６）に記憶し、受信可能な周波数チャネルをスキャンして基地局が発する電波を探索し、探索した基地局が発信する基地局発信情報から前記識別情報を抽出し、抽出した前記識別情報と前記利用基地局記憶手段に記憶されている前記識別情報とを比較し、前記識別情報が一致する基地局を抽出し、抽出した基地局の中から接続先とする基地局を選択すること、を特徴とする移動端末の通信接続方法を提案している。
【００２２】
この発明によれば、移動端末の通信接続方法は、利用する可能性のある基地局を識別情報とともに利用基地局記憶手段に記憶し、受信可能な周波数チャネルをスキャンして基地局が発する電波を探索し、探索した基地局が発信する基地局発信情報から識別情報を抽出し、抽出した識別情報と利用基地局記憶手段に記憶されている識別情報とを比較し、識別情報が一致する基地局を抽出し、抽出した基地局の中から接続先とする基地局を選択する。したがって、基地局が周波数チャネルを変更しても、利用者が選択した基地局に対して簡単に接続できる。
【００２３】
（８）本発明は、少なくとも自らを識別する識別情報（ＢＳＩＤ）を含む基地局発信情報（ＤＬ−ＭＡＰ）をそれぞれが複数の周波数を切り替えて発信する基地局（ＢＳ１，ＢＳ２，ＢＳ３，ＢＳ４，ＢＳ５）と通信接続可能な移動端末（１００）の接続プログラムであって、移動端末のコンピュータを、利用する可能性のある基地局（ＢＳ１，ＢＳ３，ＢＳ５）を前記識別情報とともに記憶する利用基地局記憶手段（１０６）と、受信可能な周波数チャネルをスキャンして基地局が発する電波を探索する探索手段（１０２）と、前記探索手段により探索した基地局が発信する基地局発信情報から前記識別情報を抽出する識別情報抽出手段（１０３）と、前記識別情報抽出手段が抽出した前記識別情報と前記利用基地局記憶手段に記憶されている前記識別情報とを比較し、前記識別情報が一致する基地局を抽出する基地局抽出手段（１０４）と、前記基地局抽出手段が抽出した基地局の中から接続先とする基地局を選択する基地局選択手段（１０５）として機能させるための移動端末の接続プログラムを提案している。
【００２４】
この発明によれば、利用基地局記憶手段は、利用する可能性のある基地局を前記識別情報とともに記憶する。探索手段は、受信可能な周波数チャネルをスキャンして基地局が発する電波を探索する。識別情報抽出手段は、探索手段により探索した基地局が発信する基地局発信情報から識別情報を抽出する。基地局抽出手段は、識別情報抽出手段が抽出した識別情報と利用基地局記憶手段に記憶されている識別情報とを比較し、識別情報が一致する基地局を抽出する。基地局選択手段は、基地局抽出手段が抽出した基地局の中から接続先とする基地局を選択する。したがって、基地局が周波数チャネルを変更しても、利用者が望む基地局に簡単に接続できる。
【発明の効果】
【００２５】
本発明によれば、基地局が周波数チャネルを変更しても、利用者が望む基地局に簡単に接続できるという効果がある。
【図面の簡単な説明】
【００２６】
【図１】本発明による移動端末の通信接続方法を用いた通信システムの第１実施形態を示す図である。
【図２】第１実施形態の通信システムの構成を示すブロック図である。
【図３】第１実施形態の通信システムの動作を示すフローチャートである。
【図４】図３に示す動作における各基地局に関するリスト等を示す図である。
【図５】第２実施形態の通信システムの構成を示すブロック図である。
【図６】第２実施形態の通信システムの動作を示すフローチャートである。
【図７】図６に示す動作における各基地局に関するリスト等を示す図である。
【発明を実施するための形態】
【００２７】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００２８】
（第１実施形態）
図１は、本発明による移動端末の通信接続方法を用いた通信システムの第１実施形態を示す図である。
第１実施形態の通信システムでは、移動端末１００と、複数の基地局（ＢＳ１，ＢＳ２，ＢＳ３，ＢＳ４，ＢＳ５）とを備えている。本実施形態では、ＷｉＭＡＸ（登録商標）規格に準拠した通信システムであるが、他の規格に基づいた通信システムであってもよい。
【００２９】
移動端末１００は、例えば、パーソナルコンピュータ等の無線通信可能な機器である。なお、移動端末１００は、パーソナルコンピュータに限らず、携帯型ゲーム機や携帯型音楽再生機、携帯電話端末等であっても、本通信システムにおいて通信可能なモジュールを内蔵、又は、接続可能な機器であれば、どのような機器であってよい。
【００３０】
基地局（ＢＳ１からＢＳ５）は、本通信システムにおいて通信に使用する電波を送受信する基地局である。図１には、一例として、第１の基地局ＢＳ１と、第２の基地局ＢＳ２と、第３の基地局ＢＳ３と、第４の基地局ＢＳ４と、第５の基地局ＢＳ５とを示している。この内、第１の基地局ＢＳ１と、第２の基地局ＢＳ２と、第４の基地局ＢＳ４とは、いずれも通信エリアの広いマクロ基地局である。一方、第３の基地局ＢＳ３と、第５の基地局ＢＳ５とは、通信エリアが狭いフェムト基地局やピコ基地局、アクセスポイント等と呼ばれ、家屋内等における通信条件の改善を主な目的として配置される小型の中継基地局である。なお、基地局の数や種類は、一例を示したものであり、これに限るものではない。
【００３１】
図２は、第１実施形態の通信システムの構成を示すブロック図である。
第１の基地局ＢＳ１から第５の基地局ＢＳ５は、それぞれ、発信手段ＢＳ１ａからＢＳ５ａを備えている。発信手段ＢＳ１ａからＢＳ５ａは、それぞれ、第１の基地局ＢＳ１から第５の基地局ＢＳ５自身を識別するＢＳＩＤ（識別情報）を含むＤＬ−ＭＡＰ（基地局発信情報）を、電波の利用状況等に応じて複数の周波数を切り替えて発信する。
【００３２】
ＤＬ−ＭＡＰは、各基地局が発する電波に含まれており、下り回線の無線リソース割り当て情報を含むメッセージである。ＢＳＩＤは、ＤＬ−ＭＡＰの中に含まれており、基地局毎に割り振られている固有の識別情報である。
【００３３】
移動端末１００は、受信手段１０１と、探索手段１０２と、識別情報抽出手段１０３と、基地局抽出手段１０４と、基地局選択手段１０５と、利用基地局記憶手段１０６と、基地局順位設定手段１０７とを備えている。
【００３４】
受信手段１０１は、発信手段（ＢＳ１ａからＢＳ５ａ）が発信するＤＬ−ＭＡＰを受信可能なように、本通信システムが使用する周波数チャネルの電波全てを受信する。
探索手段１０２は、本通信システムが使用する周波数チャネルを全てスキャンして、各基地局が発する電波を探索する。
【００３５】
識別情報抽出手段１０３は、探索手段１０２により探索した基地局が発信する電波に含まれるＤＬ−ＭＡＰからＢＳＩＤを抽出する。
基地局抽出手段１０４は、識別情報抽出手段１０３が抽出したＢＳＩＤと後述する利用基地局記憶手段１０６に記憶されているＢＳＩＤとを比較し、ＢＳＩＤが一致する基地局を抽出する。この抽出された基地局は、利用者が利用する基地局として予め登録されており、かつ、電波を受信可能な基地局である。
【００３６】
基地局選択手段１０５は、基地局抽出手段１０４が抽出した基地局の中から接続先とする基地局を選択する。第１実施形態では、基地局選択手段１０５は、電波を受信可能な基地局の中から、基地局順位設定手段１０７により設定された順位にしたがって、接続先とする基地局を自動的に選択する。
【００３７】
利用基地局記憶手段１０６は、利用者が利用する可能性のある基地局をＢＳＩＤとともに予め記憶する。例えば、マクロ基地局については、利用者がどの位置に移動しても利用可能とすることが望ましいので、通信サービス事業者によって予め登録しておいたり、通信を介して適宜更新したりするようにすることができる。一方、フェムト基地局のような小型基地局に関しては、特定の利用者のみが利用することが想定されるので、利用者が必要に応じて利用基地局記憶手段１０６に記憶させる。
【００３８】
基地局順位設定手段１０７は、利用基地局記憶手段１０６に記憶させる利用する可能性のある基地局の接続優先順位を設定する。例えば、自宅内に設置した利用者個人用の小型基地局を最も優先順位を高く設定する等である。本実施形態では、基地局順位設定手段１０７は、マクロ基地局も小型基地局も含めた全ての基地局について優先順位を設定するが、例えば、小型基地局のみについて優先順位を設定し、小型基地局をマクロ基地局よりも優先度を高くする等してもよい。なお、基地局順位設定手段１０７が設定した順位に関する情報は、利用基地局記憶手段１０６による記憶内容とともに記憶される。
【００３９】
図３は、第１実施形態の通信システムの動作を示すフローチャートである。
図４は、図３に示す動作における各基地局に関するリスト等を示す図である。
図３に示す動作を行う前に、利用者は、利用する可能性のある基地局の利用基地局記憶手段１０６への登録（図４のリストＡ欄）と、基地局順位設定手段１０７による基地局の接続する優先順位（図４の優先順位欄）の設定とを予め済ましているものとする。
【００４０】
ステップ（以下、単にＳとする）１０１では、変数ｉを初期値１にセットする。ここで、変数ｉは、周波数チャネルに対応する。
Ｓ１０２では、Ｓ１０８までのループを開始する。
【００４１】
Ｓ１０３では、周波数チャネルｉ上でＰｒｅａｍｂｌｅを検索する。
Ｓ１０４では、Ｐｒｅａｍｂｌｅを検出したか否かを判断する。Ｐｒｅａｍｂｌｅを検出した場合には、Ｓ１０５へ進み、Ｐｒｅａｍｂｌｅを検出していない場合には、Ｓ１０７へ進む。
【００４２】
Ｓ１０５では、ＤＬ−ＭＡＰを受信したか否かの判断を行う。ＤＬ−ＭＡＰを受信した場合には、Ｓ１０６へ進み、ＤＬ−ＭＡＰを受信していない場合には、Ｓ１０７へ進む。
Ｓ１０６では、ＤＬ−ＭＡＰを受信できた基地局について、ＢＳＩＤと周波数チャネルｉとを紐付けて、リストＢに登録する（図４のリストＢ欄）。
【００４３】
Ｓ１０７では、ｉ＝ｉ＋１として、ｉを１つ増やして、次の周波数チャネルに進める。
Ｓ１０８では、ｉ＝ｍ＋１（ｍは、周波数チャネルの数）となるまで、Ｓ１０２からのループを繰り返す。ｉ＝ｍ＋１となったら、Ｓ１０９へ進む。
【００４４】
Ｓ１０９では、リストＢに登録されていないＢＳＩＤをリストＡから削除して、リストＡ’とする。すなわち、リストＡ’は、リストＡとリストＢとの「ａｎｄ」となる。
Ｓ１１０では、リストＡ’に登録されているＢＳＩＤが１個以上であるか否かを判断する。リストＡ’に登録されているＢＳＩＤが１個以上である場合には、Ｓ１１１へ進み、リストＡ’に登録されているＢＳＩＤがない場合には、Ｓ１１５へ進む。
【００４５】
Ｓ１１１では、基地局選択手段１０５が、リストＡ’の中で、接続の優先順位が最上位にある第３の基地局ＢＳ３を選択する。
Ｓ１１２では、第３の基地局ＢＳ３のＰｒｅａｍｂｌｅを受信する。
【００４６】
Ｓ１１３では、第３の基地局ＢＳ３のＤＬ−ＭＡＰを受信する。
Ｓ１１４では、第３の基地局ＢＳ３と同期状態となり、接続が完了する。
Ｓ１１５では、基地局から圏外にあるとして、その旨の表示等を行い、動作を終了する。
【００４７】
以上説明したように、第１実施形態の通信システムでは、基地局選択手段１０５は、基地局順位設定手段１０７による優先順位にしたがって、接続先の基地局を自動的に選択する。よって、各基地局の周波数チャネルをいちいち登録する必要がなく、基地局が周波数チャネルを変更しても、利用者が望む基地局に簡単に接続することができる。
【００４８】
（第２実施形態）
図５は、第２実施形態の通信システムの構成を示すブロック図である。
第２実施形態の通信システムは、第１実施形態における基地局順位設定手段１０７の代わりに、接続予定基地局設定手段１０８を設け、基地局選択手段１０５の動作を変更した他は、第１実施形態と同様の形態をしている。よって、前述した第１実施形態と同様の機能を果たす部分には、同一の符号を付して、重複する説明を適宜省略する。
【００４９】
第２実施形態の基地局選択手段１０５は、電波を受信可能な基地局の中に、接続予定基地局設定手段１０８により設定された基地局が存在している場合にはその基地局に接続し、それ以外の場合には、基地局の圏外であるとして、接続を中止する。
【００５０】
接続予定基地局設定手段１０８は、接続先とする予定の基地局を設定する。具体的には、接続予定基地局設定手段１０８は、利用基地局記憶手段１０６に記憶されている利用する可能性がある基地局を利用者に対して提示し、利用者に対して接続先とすべき基地局の選択を促す。そして、接続予定基地局設定手段１０８は、利用者が選択した基地局を接続先とする予定の基地局として設定する。
【００５１】
図６は、第２実施形態の通信システムの動作を示すフローチャートである。
図７は、図６に示す動作における各基地局に関するリスト等を示す図である。
Ｓ２０１では、登録されている基地局のＢＳＩＤを不図示の表示部（移動端末１００がパーソナルコンピュータであれば、例えば、液晶ディスプレイ等）に表示する。
【００５２】
Ｓ２０２では、利用者が接続したい基地局のＢＳＩＤを選択する。なお、Ｓ２０１及びＳ２０２では、ＢＳＩＤを直接表示及び選択することとして示したが、利用者に対しては、よりわかりやすい基地局名を表示及び選択させることとして、ＢＳＩＤ自体をそのまま利用者に提示しないようにしてもよい。わかりやすい基地局名とは、例えば、「自宅のアクセスポイント」とか、「会社のアクセスポイント」等である。図６及び図７に示す例では、第５の基地局ＢＳ５を接続したい基地局として選択したものとする。
【００５３】
Ｓ２０３では、変数ｉを初期値１にセットする。ここで、変数ｉは、周波数チャネルに対応する。
Ｓ２０４では、Ｓ２１０までのループを開始する。
【００５４】
Ｓ２０５では、周波数チャネルｉ上でＰｒｅａｍｂｌｅを検索する。
Ｓ２０６では、Ｐｒｅａｍｂｌｅを検出したか否かを判断する。Ｐｒｅａｍｂｌｅを検出した場合には、Ｓ２０７へ進み、Ｐｒｅａｍｂｌｅを検出していない場合には、Ｓ２０９へ進む。
【００５５】
Ｓ２０７では、ＤＬ−ＭＡＰを受信したか否かの判断を行う。ＤＬ−ＭＡＰを受信した場合には、Ｓ２０８へ進み、ＤＬ−ＭＡＰを受信していない場合には、Ｓ２０９へ進む。
Ｓ２０８では、接続予定基地局設定手段１０８により設定された基地局、すなわち、ここの例では、第５の基地局ＢＳ５を受信したか否かの判断を行う。第５の基地局ＢＳ５を受信した場合には、Ｓ２１２へ進み、第５の基地局ＢＳ５を受信していない場合には、Ｓ２０９へ進む。
【００５６】
Ｓ２０９では、ｉ＝ｉ＋１として、ｉを１つ増やして、次の周波数チャネルに進める。
Ｓ２１０では、ｉ＝ｍ＋１（ｍは、周波数チャネルの数）となるまで、Ｓ２０４からのループを繰り返す。ｉ＝ｍ＋１となったら、Ｓ２１１へ進む。
【００５７】
Ｓ２１１では、基地局から圏外にあるとして、その旨の表示等を行い、動作を終了する。
Ｓ２１２では、第５の基地局ＢＳ５と同期状態となり、接続が完了する。
【００５８】
以上説明したように、第２実施形態の通信システムでは、基地局選択手段１０５は、電波を受信可能な基地局の中に、接続予定基地局設定手段１０８により設定された基地局が存在している場合に、その基地局に接続する。よって、各基地局の周波数チャネルをいちいち登録する必要がなく、基地局が周波数チャネルを変更しても、利用者が望む基地局に簡単に接続することができる。
【００５９】
なお、移動端末の処理をコンピュータ読み取り可能な記録媒体に記録し、この記録媒体に記録されたプログラムを移動端末に読み込ませ、実行することによって本発明の移動端末、移動端末の通信接続方法を実現することができる。ここでいうコンピュータシステムとは、ＯＳや周辺装置等のハードウェアを含む。
【００６０】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００６１】
また、上記プログラムは、前述した機能の一部を実現するためのものであってもよい。さらに、前述した機能をコンピュータシステムにすでに記録されているプログラムとの組み合せで実現できるもの、いわゆる差分ファイル（差分プログラム）であってもよい。
【００６２】
以上、この発明の実施形態につき、図面を参照して詳述してきたが、具体的な構成はこの実施形態に限られるものではなく、この発明の要旨を逸脱しない範囲の設計等も含まれる。
なお、各実施形態は、適宜組み合わせて用いることもできるが、詳細な説明は省略する。
【符号の説明】
【００６３】
ＢＳ１    第１の基地局
ＢＳ１ａ  発信手段
ＢＳ２    第２の基地局
ＢＳ２ａ  発信手段
ＢＳ３    第３の基地局
ＢＳ３ａ  発信手段
ＢＳ４    第４の基地局
ＢＳ４ａ  発信手段
ＢＳ５    第５の基地局
ＢＳ５ａ  発信手段
１００    移動端末
１０１    受信手段
１０２    探索手段
１０３    識別情報抽出手段
１０４    基地局抽出手段
１０５    基地局選択手段
１０６    利用基地局記憶手段
１０７    基地局順位設定手段
１０８    接続予定基地局設定手段
【図１】
0005485723.tif 000002
【図２】
0005485723.tif 000003
【図３】
0005485723.tif 000004
【図４】
0005485723.tif 000005
【図５】
0005485723.tif 000006
【図６】
0005485723.tif 000007
【図７】
0005485723.tif 000008